(57)【要約】【課題】特に一眼レフカメラに用いる広角ズームレンズ系において、変倍（ズーミング）や合焦（フォーカシング）に伴う歪曲収差、像面湾曲、非点収差、倍率色収差などの軸外収差変動を抑えて、焦点距離域、撮影距離域の全域にわたって高い光学性能を得る。【解決手段】物体側から順に、負の第１レンズ群、正の第２レンズ群、負の第３レンズ群および正の第４レンズ群からなり、ワイド端からテレ端への変倍に際し、少なくとも、第１レンズ群、第２レンズ群および第４レンズ群が光軸方向に移動し、次の条件式（１）を満足するズームレンズ系。（１）１．３５＜ΔＸ４／ΔＸ２＜２．８０但し、ΔＸ２：短焦点距離端から長焦点距離端への変倍に際する第２レンズ群の光軸方向の移動量、ΔＸ４：短焦点距離端から長焦点距離端への変倍に際する第４レンズ群の光軸方向の移動量。【選択図】図１
2015087681.tif 000002
【特許請求の範囲】
【請求項１】
物体側から順に、負の屈折力の第１レンズ群、正の屈折力の第２レンズ群、負の屈折力の第３レンズ群および正の屈折力の第４レンズ群からなるズームレンズ系において、
短焦点距離端から長焦点距離端への変倍に際し、少なくとも、第１レンズ群、第２レンズ群および第４レンズ群が光軸方向に移動し、
次の条件式（１）を満足することを特徴とするズームレンズ系。
（１）１．３５＜ΔＸ４／ΔＸ２＜２．８０
但し、
ΔＸ２：短焦点距離端から長焦点距離端への変倍に際する第２レンズ群の光軸方向の移動量、
ΔＸ４：短焦点距離端から長焦点距離端への変倍に際する第４レンズ群の光軸方向の移動量。
【請求項２】
請求項１記載のズームレンズ系において、短焦点距離端から長焦点距離端への変倍に際し、第３レンズ群が光軸方向に移動しないズームレンズ系。
【請求項３】
請求項１または２記載のズームレンズ系において、次の条件式（２）を満足するズームレンズ系。
（２）−１．９５＜ｆ２／ｆ１＜−１．５５
但し、
ｆ１：第１レンズ群の焦点距離、
ｆ２：第２レンズ群の焦点距離。
【請求項４】
請求項１ないし３のいずれか１項記載のズームレンズ系において、次の条件式（３）を満足するズームレンズ系。
（３）２．２５＜ｆ３／ｆ１＜３．５０
但し、
ｆ１：第１レンズ群の焦点距離、
ｆ３：第３レンズ群の焦点距離。
【請求項５】
請求項１ないし４のいずれか１項記載のズームレンズ系において、次の条件式（４）を満足するズームレンズ系。
（４）−３．００＜ｆ４／ｆ１＜−２．０５
但し、
ｆ１：第１レンズ群の焦点距離、
ｆ４：第４レンズ群の焦点距離。
【請求項６】
請求項１ないし５のいずれか１項記載のズームレンズ系において、
第２レンズ群は、物体側から順に、正の屈折力の第２ａレンズ群と正の屈折力の第２ｂレンズ群とからなり、
第２ａレンズ群は、フォーカシング時に光軸方向に移動するフォーカスレンズ群であり、
次の条件式（５）及び（６）を満足するズームレンズ系。
（５）−１．２＜（１−ｍ２ａＳ2）ｍＲＳ2＜−０．８
（６）−２．７＜（１−ｍ２ａＬ2）ｍＲＬ2＜−１．７
但し、
ｍ２ａＳ：短焦点距離端における無限遠合焦時の第２ａレンズ群の横倍率、
ｍＲＳ：短焦点距離端における無限遠合焦時の第２ｂレンズ群、第３レンズ群および第４レンズ群の合成横倍率、
ｍ２ａＬ：長焦点距離端における無限遠合焦時の第２ａレンズ群の横倍率、
ｍＲＬ：長焦点距離端における無限遠合焦時の第２ｂレンズ群、第３レンズ群および第４レンズ群の合成横倍率。
【請求項７】
請求項６記載のズームレンズ系において、第２ａレンズ群は、物体側から順に、物体側に凸面を向けた正レンズ、および物体側から順に位置する物体側に凸面を向けた負レンズと正レンズの接合レンズからなるズームレンズ系。
【請求項８】
請求項１ないし７のいずれか１項記載のズームレンズ系において、
第４レンズ群は、物体側から順に、正の屈折力の第４ａレンズ群と負の屈折力の第４ｂレンズ群とからなり、
第４ａレンズ群は、物体側から順に位置する、物体側に凸面を向けた正レンズ、負レンズおよび両凸正レンズの３枚の接合レンズからなり、
次の条件式（７）を満足するズームレンズ系。
（７）１５＜νｄｐ−νｄｎ＜２５
但し、
νｄｐ：第４ａレンズ群中の正レンズのｄ線に対するアッベ数の平均値、
νｄｎ：第４ａレンズ群中の負レンズのｄ線に対するアッベ数。
【発明の詳細な説明】
【技術分野】
【０００１】
本発明は、ズームレンズ系、特に一眼レフカメラに用いて好適な広角ズームレンズ系に関する。
【背景技術】
【０００２】
負の屈折力のレンズ群を最も物体側に配置した、所謂、負先行（ネガティブリード）型のズームレンズ系は、広画角化および、焦点距離に比して長いバックフォーカスを確保することが比較的容易なことから、一眼レフカメラ用の広角ズームレンズ系に多く用いられている。
【０００３】
このような負先行（ネガティブリード）型の一眼レフカメラ用の広角ズームレンズ系として、物体側から順に、負の屈折力の第１レンズ群、正の屈折力の第２レンズ群、負の屈折力の第３レンズ群および正の屈折力の第４レンズ群からなるものが知られている（特許文献１〜６）。
【０００４】
一般的に、広角ズームレンズ系は、変倍（ズーミング）や合焦（フォーカシング）に伴い、歪曲収差、像面湾曲、非点収差、倍率色収差などの軸外収差変動が発生するため、焦点距離域、撮影距離域の全域にわたって高い光学性能を得ることが難しい。
【０００５】
この点、特許文献１〜６も例外ではなく、比較的高い光学性能が要求される高画素数のデジタルスチルカメラ等に適用するためには、光学性能が不十分であり、焦点距離および撮影距離の変化に伴う収差変動をさらに良好に補正することが要求される。
【先行技術文献】
【特許文献】
【０００６】
【特許文献１】特開２００２−２８７０３１号公報
【特許文献２】特開２００８−１４５９６７号公報
【特許文献３】特開２００８−２８１９１７号公報
【特許文献４】特開２０１１−１４５５１８号公報
【特許文献５】特開２０１２−６３５６８号公報
【特許文献６】特開２０１２−６８３０３号公報
【発明の概要】
【発明が解決しようとする課題】
【０００７】
本発明は、以上の問題意識に基づいて完成されたものであり、特に一眼レフカメラに用いる広角ズームレンズ系において、変倍（ズーミング）や合焦（フォーカシング）に伴う歪曲収差、像面湾曲、非点収差、倍率色収差などの軸外収差変動を抑えて、焦点距離域、撮影距離域の全域にわたって高い光学性能を得ることを目的とする。
【課題を解決するための手段】
【０００８】
本発明は、物体側から順に、負の屈折力の第１レンズ群、正の屈折力の第２レンズ群、負の屈折力の第３レンズ群および正の屈折力の第４レンズ群からなるズームレンズ系において、短焦点距離端から長焦点距離端への変倍に際し、少なくとも、第１レンズ群、第２レンズ群および第４レンズ群が光軸方向に移動し（像面に対して移動し）、次の条件式（１）を満足することを特徴としている。
（１）１．３５＜ΔＸ４／ΔＸ２＜２．８０
但し、
ΔＸ２：短焦点距離端から長焦点距離端への変倍に際する第２レンズ群の光軸方向の移動量（像面に対する移動量）、
ΔＸ４：短焦点距離端から長焦点距離端への変倍に際する第４レンズ群の光軸方向の移動量（像面に対する移動量）、
である。
【０００９】
条件式（１）において、ΔＸ２及びΔＸ４は正負の概念が無い移動量、すなわち物体側または像側への移動量の絶対値を意味している。したがって、第２レンズ群と第４レンズ群の双方が物体側または像側に移動する場合は勿論のこと、第２レンズ群と第４レンズ群の一方が物体側に移動して他方が像側に移動する場合であっても、ΔＸ２及びΔＸ４並びにΔＸ４／ΔＸ２は負の値をとることなく常に正の値をとる。
【００１０】
第３レンズ群は、短焦点距離端から長焦点距離端への変倍に際し、光軸方向に移動しない（像面に対して固定されている）ことが好ましい。
【００１１】
本発明のズームレンズ系は、次の条件式（２）を満足することが好ましい。
（２）−１．９５＜ｆ２／ｆ１＜−１．５５
但し、
ｆ１：第１レンズ群の焦点距離、
ｆ２：第２レンズ群の焦点距離、
である。
【００１２】
本発明のズームレンズ系は、次の条件式（３）を満足することが好ましい。
（３）２．２５＜ｆ３／ｆ１＜３．５０
但し、
ｆ１：第１レンズ群の焦点距離、
ｆ３：第３レンズ群の焦点距離、
である。
【００１３】
本発明のズームレンズ系は、次の条件式（４）を満足することが好ましい。
（４）−３．００＜ｆ４／ｆ１＜−２．０５
但し、
ｆ１：第１レンズ群の焦点距離、
ｆ４：第４レンズ群の焦点距離、
である。
【００１４】
本発明のズームレンズ系は、第２レンズ群が、物体側から順に、正の屈折力の第２ａレンズ群と正の屈折力の第２ｂレンズ群とからなり、第２ａレンズ群が、フォーカシング時に光軸方向に移動するフォーカスレンズ群であり、次の条件式（５）及び（６）を満足することが好ましい。
（５）−１．２＜（１−ｍ２ａＳ2）ｍＲＳ2＜−０．８
（６）−２．７＜（１−ｍ２ａＬ2）ｍＲＬ2＜−１．７
但し、
ｍ２ａＳ：短焦点距離端における無限遠合焦時の第２ａレンズ群の横倍率、
ｍＲＳ：短焦点距離端における無限遠合焦時の第２ｂレンズ群、第３レンズ群および第４レンズ群の合成横倍率、
ｍ２ａＬ：長焦点距離端における無限遠合焦時の第２ａレンズ群の横倍率、
ｍＲＬ：長焦点距離端における無限遠合焦時の第２ｂレンズ群、第３レンズ群および第４レンズ群の合成横倍率、
である。
【００１５】
第２ａレンズ群は、物体側から順に、物体側に凸面を向けた正レンズ、および物体側から順に位置する物体側に凸面を向けた負レンズと正レンズの接合レンズからなることが好ましい。
【００１６】
本発明のズームレンズ系は、第４レンズ群が、物体側から順に、正の屈折力の第４ａレンズ群と負の屈折力の第４ｂレンズ群とからなり、第４ａレンズ群が、物体側から順に位置する、物体側に凸面を向けた正レンズ、負レンズおよび両凸正レンズの３枚の接合レンズからなり、次の条件式（７）を満足することが好ましい。
（７）１５＜νｄｐ−νｄｎ＜２５
但し、
νｄｐ：第４ａレンズ群中の正レンズのｄ線に対するアッベ数の平均値、
νｄｎ：第４ａレンズ群中の負レンズのｄ線に対するアッベ数、
である。
【００１７】
本発明のズームレンズ系は、次の条件式（８）及び（９）を満足することが好ましい。
（８）５＜ｍ２Ｓ／ｍ４Ｓ＜３５
（９）３．５＜ｍ２Ｌ／ｍ４Ｌ＜７．５
但し、
ｍ２Ｓ：短焦点距離端における無限遠合焦時の第２レンズ群の横倍率、
ｍ４Ｓ：短焦点距離端における無限遠合焦時の第４レンズ群の横倍率、
ｍ２Ｌ：長焦点距離端における無限遠合焦時の第２レンズ群の横倍率、
ｍ４Ｌ：長焦点距離端における無限遠合焦時の第４レンズ群の横倍率。
【００１８】
本発明のズームレンズ系は、第１レンズ群が、物体側から順に、物体側に凸面を向けた負レンズ、物体側に凸面を向けた負レンズ、両凹負レンズおよび物体側に凸面を向けた正レンズからなり、次の条件式（１０）を満足することが好ましい。
（１０）０．５６＜θｇＦ＜０．６０
但し、
θｇＦ：第１レンズ群中の最も像側に位置する正レンズのｇ線、Ｆ線の部分分散比、
である。
【発明の効果】
【００１９】
本発明によれば、特に一眼レフカメラに用いる広角ズームレンズ系において、変倍（ズーミング）や合焦（フォーカシング）に伴う歪曲収差、像面湾曲、非点収差、倍率色収差などの軸外収差変動を抑えて、焦点距離域、撮影距離域の全域にわたって高い光学性能を得ることができる。
【図面の簡単な説明】
【００２０】
【図１】本発明によるズームレンズ系の数値実施例１の短焦点距離端における無限遠合焦時のレンズ構成図である。
【図２】図１のように構成されたズームレンズ系の短焦点距離端における無限遠合焦時の諸収差図である。
【図３】図１のように構成されたズームレンズ系の短焦点距離端における無限遠合焦時の横収差図である。
【図４】図１のように構成されたズームレンズ系の中間焦点距離における無限遠合焦時の諸収差図である。
【図５】図１のように構成されたズームレンズ系の中間焦点距離における無限遠合焦時の横収差図である。
【図６】図１のように構成されたズームレンズ系の長焦点距離端における無限遠合焦時の諸収差図である。
【図７】図１のように構成されたズームレンズ系の長焦点距離端における無限遠合焦時の横収差図である。
【図８】本発明によるズームレンズ系の数値実施例２の短焦点距離端における無限遠合焦時のレンズ構成図である。
【図９】図８のように構成されたズームレンズ系の短焦点距離端における無限遠合焦時の諸収差図である。
【図１０】図８のように構成されたズームレンズ系の短焦点距離端における無限遠合焦時の横収差図である。
【図１１】図８のように構成されたズームレンズ系の中間焦点距離における無限遠合焦時の諸収差図である。
【図１２】図８のように構成されたズームレンズ系の中間焦点距離における無限遠合焦時の横収差図である。
【図１３】図８のように構成されたズームレンズ系の長焦点距離端における無限遠合焦時の諸収差図である。
【図１４】図８のように構成されたズームレンズ系の長焦点距離端における無限遠合焦時の横収差図である。
【図１５】本発明によるズームレンズ系の数値実施例３の短焦点距離端における無限遠合焦時のレンズ構成図である。
【図１６】図１５のように構成されたズームレンズ系の短焦点距離端における無限遠合焦時の諸収差図である。
【図１７】図１５のように構成されたズームレンズ系の短焦点距離端における無限遠合焦時の横収差図である。
【図１８】図１５のように構成されたズームレンズ系の中間焦点距離における無限遠合焦時の諸収差図である。
【図１９】図１５のように構成されたズームレンズ系の中間焦点距離における無限遠合焦時の横収差図である。
【図２０】図１５のように構成されたズームレンズ系の長焦点距離端における無限遠合焦時の諸収差図である。
【図２１】図１５のように構成されたズームレンズ系の長焦点距離端における無限遠合焦時の横収差図である。
【図２２】本発明によるズームレンズ系の数値実施例４の短焦点距離端における無限遠合焦時のレンズ構成図である。
【図２３】図２２のように構成されたズームレンズ系の短焦点距離端における無限遠合焦時の諸収差図である。
【図２４】図２２のように構成されたズームレンズ系の短焦点距離端における無限遠合焦時の横収差図である。
【図２５】図２２のように構成されたズームレンズ系の中間焦点距離における無限遠合焦時の諸収差図である。
【図２６】図２２のように構成されたズームレンズ系の中間焦点距離における無限遠合焦時の横収差図である。
【図２７】図２２のように構成されたズームレンズ系の長焦点距離端における無限遠合焦時の諸収差図である。
【図２８】図２２のように構成されたズームレンズ系の長焦点距離端における無限遠合焦時の横収差図である。
【図２９】本発明によるズームレンズ系の数値実施例５の短焦点距離端における無限遠合焦時のレンズ構成図である。
【図３０】図２９のように構成されたズームレンズ系の短焦点距離端における無限遠合焦時の諸収差図である。
【図３１】図２９のように構成されたズームレンズ系の短焦点距離端における無限遠合焦時の横収差図である。
【図３２】図２９のように構成されたズームレンズ系の中間焦点距離における無限遠合焦時の諸収差図である。
【図３３】図２９のように構成されたズームレンズ系の中間焦点距離における無限遠合焦時の横収差図である。
【図３４】図２９のように構成されたズームレンズ系の長焦点距離端における無限遠合焦時の諸収差図である。
【図３５】図２９のように構成されたズームレンズ系の長焦点距離端における無限遠合焦時の横収差図である。
【図３６】本発明によるズームレンズ系の数値実施例６の短焦点距離端における無限遠合焦時のレンズ構成図である。
【図３７】図３６のように構成されたズームレンズ系の短焦点距離端における無限遠合焦時の諸収差図である。
【図３８】図３６のように構成されたズームレンズ系の短焦点距離端における無限遠合焦時の横収差図である。
【図３９】図３６のように構成されたズームレンズ系の中間焦点距離における無限遠合焦時の諸収差図である。
【図４０】図３６のように構成されたズームレンズ系の中間焦点距離における無限遠合焦時の横収差図である。
【図４１】図３６のように構成されたズームレンズ系の長焦点距離端における無限遠合焦時の諸収差図である。
【図４２】図３６のように構成されたズームレンズ系の長焦点距離端における無限遠合焦時の横収差図である。
【図４３】本発明によるズームレンズ系の数値実施例７の短焦点距離端における無限遠合焦時のレンズ構成図である。
【図４４】図４３のように構成されたズームレンズ系の短焦点距離端における無限遠合焦時の諸収差図である。
【図４５】図４３のように構成されたズームレンズ系の短焦点距離端における無限遠合焦時の横収差図である。
【図４６】図４３のように構成されたズームレンズ系の中間焦点距離における無限遠合焦時の諸収差図である。
【図４７】図４３のように構成されたズームレンズ系の中間焦点距離における無限遠合焦時の横収差図である。
【図４８】図４３のように構成されたズームレンズ系の長焦点距離端における無限遠合焦時の諸収差図である。
【図４９】図４３のように構成されたズームレンズ系の長焦点距離端における無限遠合焦時の横収差図である。
【図５０】本発明によるズームレンズ系の数値実施例８の短焦点距離端における無限遠合焦時のレンズ構成図である。
【図５１】図５０のように構成されたズームレンズ系の短焦点距離端における無限遠合焦時の諸収差図である。
【図５２】図５０のように構成されたズームレンズ系の短焦点距離端における無限遠合焦時の横収差図である。
【図５３】図５０のように構成されたズームレンズ系の中間焦点距離における無限遠合焦時の諸収差図である。
【図５４】図５０のように構成されたズームレンズ系の中間焦点距離における無限遠合焦時の横収差図である。
【図５５】図５０のように構成されたズームレンズ系の長焦点距離端における無限遠合焦時の諸収差図である。
【図５６】図５０のように構成されたズームレンズ系の長焦点距離端における無限遠合焦時の横収差図である。
【図５７】本発明によるズームレンズ系の数値実施例９の短焦点距離端における無限遠合焦時のレンズ構成図である。
【図５８】図５７のように構成されたズームレンズ系の短焦点距離端における無限遠合焦時の諸収差図である。
【図５９】図５７のように構成されたズームレンズ系の短焦点距離端における無限遠合焦時の横収差図である。
【図６０】図５７のように構成されたズームレンズ系の中間焦点距離における無限遠合焦時の諸収差図である。
【図６１】図５７のように構成されたズームレンズ系の中間焦点距離における無限遠合焦時の横収差図である。
【図６２】図５７のように構成されたズームレンズ系の長焦点距離端における無限遠合焦時の諸収差図である。
【図６３】図５７のように構成されたズームレンズ系の長焦点距離端における無限遠合焦時の横収差図である。
【図６４】本発明によるズームレンズ系のズーム軌跡を示す簡易移動図である。
【発明を実施するための形態】
【００２１】
本実施形態のズームレンズ系は、全数値実施例１−９を通じて、図６４の簡易移動図に示すように、物体側から順に、負の屈折力の第１レンズ群Ｇ１、正の屈折力の第２レンズ群Ｇ２、負の屈折力の第３レンズ群Ｇ３および正の屈折力の第４レンズ群Ｇ４からなる。第２レンズ群Ｇ２は、物体側から順に、正の屈折力の第２ａレンズ群Ｇ２ａと正の屈折力の第２ｂレンズ群Ｇ２ｂとからなる。第２ａレンズ群Ｇ２ａは、フォーカシング時に光軸方向（像側）に移動するフォーカスレンズ群である。第４レンズ群Ｇ４は、物体側から順に、正の屈折力の第４ａレンズ群Ｇ４ａと負の屈折力の第４ｂレンズ群Ｇ４ｂとからなる。第２レンズ群Ｇ２と第３レンズ群Ｇ３との間には絞りＳが位置しており、この絞りＳは、第２レンズ群Ｇ２と一体に移動する。Ｉは像面である。
【００２２】
本実施形態のズームレンズ系は、全数値実施例１−９を通じて、図６４の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が減少し、第２レンズ群Ｇ２と第３レンズ群Ｇ３の間隔が増大し、第３レンズ群Ｇ３と第４レンズ群Ｇ４の間隔が減少する。
第１レンズ群Ｇ１は、全数値実施例１−９を通じて、短焦点距離端から長焦点距離端への変倍に際し、若干量だけ像側に移動する。なお、第１レンズ群Ｇ１は、短焦点距離端から長焦点距離端への変倍に際し、物体側に移動する態様、あるいは中間焦点距離付近を境に往復運動する態様も可能である。
第２レンズ群Ｇ２および第４レンズ群Ｇ４は、全数値実施例１−９を通じて、短焦点距離端から長焦点距離端への変倍に際し、単調に物体側に移動する（繰り出される）。第４レンズ群Ｇ４の移動量（繰り出し量）は、第２レンズ群Ｇ２の移動量（繰り出し量）よりも大きい。
【００２３】
第３レンズ群Ｇ３は、図６４の簡易移動図に破線で示すように、数値実施例１−３、５−７では、短焦点距離端から長焦点距離端への変倍に際し、光軸方向に移動しない（像面Ｉに対して固定されている）。この態様によれば、変倍に伴う可動部を少なくすることで、鏡枠の機械構造を簡略化し、コストを抑えることができる。また、製造誤差の発生要因が減少するため実用上の光学性能を維持する上で有利となる。
第３レンズ群Ｇ３は、図６４の簡易移動図に実線で示すように、数値実施例４、８、９では、短焦点距離端から長焦点距離端への変倍に際し、一旦像側に移動してから短焦点距離端の位置を超えて若干量だけ物体側に移動する。この態様によれば、光学系の自由度が付加されるため、変倍に伴う収差変動を補正する点で有利である。なお、第３レンズ群Ｇ３の移動軌跡は、ここで例示した以外にも、像面湾曲等の補正のために適切な移動軌跡を選択することができる。
このように、変倍時の第３レンズ群Ｇ３の移動の有無に関わらず、本実施形態のズームレンズ系を適用することができる。
【００２４】
第１レンズ群Ｇ１は、全数値実施例１−９を通じて、物体側から順に、物体側に凸の負メニスカスレンズ（物体側に凸面を向けた負レンズ）１１、物体側に凸の負メニスカスレンズ（物体側に凸面を向けた負レンズ）１２、両凹負レンズ１３および両凸正レンズ（物体側に凸面を向けた正レンズ）１４からなる。負メニスカスレンズ１１は、ガラスレンズの像側の面に合成樹脂材料による非球面層が接着形成されたハイブリッドレンズからなる。
【００２５】
第２ａレンズ群Ｇ２ａは、全数値実施例１−９を通じて、物体側から順に、物体側に凸の正メニスカスレンズ（物体側に凸面を向けた正レンズ）２１、および物体側から順に位置する物体側に凸の負メニスカスレンズ（物体側に凸面を向けた負レンズ）２２と両凸正レンズ２３の接合レンズからなる。
【００２６】
第２ｂレンズ群Ｇ２ｂは、全数値実施例１−９を通じて、両凸正レンズ２４からなる。
【００２７】
第３レンズ群Ｇ３は、全数値実施例１−９を通じて、物体側から順に、物体側から順に位置する両凹負レンズ３１と両凸正レンズ３２の接合レンズ、両凹負レンズ３３、および物体側に凸の正メニスカスレンズ３４からなる。
【００２８】
第４ａレンズ群Ｇ４ａは、数値実施例１、２、５では、物体側から順に位置する両凸正レンズ（物体側に凸面を向けた正レンズ）４１と両凹負レンズ４２と両凸正レンズ４３の３枚の接合レンズからなる。
第４ａレンズ群Ｇ４ａは、数値実施例３、４、６−９では、物体側から順に位置する物体側に凸の平凸正レンズ（物体側に凸面を向けた正レンズ）４１と像側に凹の平凹負レンズ４２と両凸正レンズ４３の接合レンズからなる。
【００２９】
第４ｂレンズ群Ｇ４ｂは、数値実施例１−５、７−９では、物体側から順に位置する両凹負レンズ４４と両凸正レンズ４５の接合レンズからなる。両凹負レンズ４４は、ガラスレンズの物体側の面に合成樹脂材料による非球面層が接着形成されたハイブリッドレンズからなる。
第４ｂレンズ群Ｇ４ｂは、数値実施例６では、物体側から順に位置する物体側に凸の負メニスカスレンズ４４と両凸正レンズ４５の接合レンズからなる。負メニスカスレンズ４４は、ガラスレンズの物体側の面に合成樹脂材料による非球面層が接着形成されたハイブリッドレンズからなる。
【００３０】
本実施形態のズームレンズ系では、第２レンズ群Ｇ２が主たる変倍作用を有し、第１レンズ群Ｇ１が変倍に伴う焦点位置の変動を補正し、第３レンズ群Ｇ３と第４レンズ群Ｇ４が変倍に伴う球面収差や像面湾曲などの収差変動を補正している。そして、このような役割を持つ各レンズ群Ｇ１〜Ｇ４の屈折力配置と変倍移動量を最適設定することで、焦点距離域、撮影距離域の全域にわたって収差変動を抑えた良好な光学性能を得ることに成功している。
【００３１】
条件式（１）は、短焦点距離端から長焦点距離端への変倍に際する第２レンズ群Ｇ２と第４レンズ群Ｇ４の光軸方向の移動量（像面Ｉに対する移動量）の比を規定している。本実施形態のズームレンズ系では、主たる変倍作用を有する第２レンズ群Ｇ２の移動量は勿論のこと、第３レンズ群Ｇ３の変倍移動量がゼロまたは微小であるため、変倍に伴う収差変動を補正する第３レンズ群Ｇ３と第４レンズ群Ｇ４の間の空気間隔変化、即ち、第４レンズ群Ｇ４の移動量を適切に設定することが重要となる。条件式（１）を満足するように第２レンズ群Ｇ２と第４レンズ群Ｇ４の変倍移動量の比を設定することで、変倍に伴う像面湾曲の変動を抑えて良好な光学性能を得ることができる。
条件式（１）の上限を超えると、変倍に伴う像面湾曲の変動を補正することが難しくなる。また光学系の全長が増大し、周辺光量を確保するために、第１レンズ群Ｇ１の有効径と重量が増大し、コストアップにつながるため好ましくない。
条件式（１）の下限を超えると、光学系の全長の短縮には有利であるが、変倍に伴う像面湾曲の変動を補正することが難しくなる。
【００３２】
条件式（２）は、第１レンズ群Ｇ１と第２レンズ群Ｇ２の焦点距離の比を規定している。条件式（２）を満足することで、第１レンズ群Ｇ１と第２レンズ群Ｇ２の屈折力の配置を適切に設定し、変倍時の像面湾曲の変動を抑えて良好な光学性能を得ることができる。
条件式（２）の上限を超えると、光学系の全長の短縮には有利であるが、変倍に伴う像面湾曲の変動を補正することが難しくなる。
条件式（２）の下限を超えると、変倍に伴う像面湾曲の変動を補正することが難しくなる。また光学系の全長が増大し、光量を確保するために、第１レンズ群Ｇ１の有効径と重量が増大し、コストアップにつながるため好ましくない。
【００３３】
条件式（３）は、第１レンズ群Ｇ１と第３レンズ群Ｇ３の焦点距離の比を規定している。条件式（３）を満足することで、第１レンズ群Ｇ１と第３レンズ群Ｇ３の屈折力の配置を適切に設定し、変倍時の像面湾曲の変動を抑えて良好な光学性能を得ることができる。
条件式（３）の上限を超えると、変倍に伴う像面湾曲の変動を補正することが難しくなる。また光学系の全長が増大し、光量を確保するために、第１レンズ群Ｇ１の有効径と重量が増大し、コストアップにつながるため好ましくない。
条件式（３）の下限を超えると、光学系の全長の短縮には有利であるが、変倍に伴う像面湾曲の変動を補正することが難しくなる。
【００３４】
条件式（４）は、第１レンズ群Ｇ１と第４レンズ群Ｇ４の焦点距離の比を規定している。条件式（４）を満足することで、第１レンズ群Ｇ１と第４レンズ群Ｇ４の屈折力の配置を適切に設定し、変倍時の像面湾曲の変動を抑えて良好な光学性能を得ることができる。
条件式（４）の上限を超えると、光学系の全長の短縮には有利であるが、変倍に伴う像面湾曲の変動を補正することが難しくなる。
条件式（４）の下限を超えると、変倍に伴う像面湾曲の変動を補正することが難しくなる。また光学系の全長が増大し、光量を確保するために、第１レンズ群Ｇ１の有効径と重量が増大し、コストアップにつながるため好ましくない。
【００３５】
条件式（２）、（３）および（４）を同時に満足することで、各レンズ群Ｇ１〜Ｇ４の屈折力の配置を最適設定し、より一層、変倍時の像面湾曲の変動を抑えて良好な光学性能を得ることができる。
【００３６】
上述したように、本実施形態のズームレンズ系は、第２レンズ群Ｇ２を、物体側から順に、正の屈折力の第２ａレンズ群Ｇ２ａと正の屈折力の第２ｂレンズ群Ｇ２ｂとから構成し、第２ａレンズ群Ｇ２ａを、フォーカシング時に光軸方向（像側）に移動するフォーカスレンズ群としている。フォーカスレンズ群である第２ａレンズ群Ｇ２ａの屈折力と構成を適切に設定することで、無限遠から近距離にわたる収差変動を抑え、良好な光学性能を得ることができる。
【００３７】
第２ａレンズ群Ｇ２ａは、物体側から順に、物体側に凸面を向けた正レンズ２１、および物体側から順に位置する物体側に凸面を向けた負レンズ２２と正レンズ２３の接合レンズからなる。正レンズ２１の両面および負レンズ２２の物体側面を、絞りＳに対して所謂コンセントリックな配置とすることで、コマ収差、非点収差などの軸外収差の発生を抑えることができる。また、第２ａレンズ群Ｇ２ａの最も物体側の面で発生する球面収差は、負レンズ２２と正レンズ２３とによって形成される物体側に凸の接合面によって補正することができる。
【００３８】
条件式（５）および（６）は、フォーカスレンズ群である第２ａレンズ群Ｇ２ａの横倍率と、第２ａレンズ群Ｇ２ａ以降のレンズ群（第２ｂレンズ群Ｇ２ｂ、第３レンズ群Ｇ３および第４レンズ群Ｇ４）の合成横倍率とによって決まる、所謂ピント感度を規定している。条件式（５）または（６）を満足することで、適切なフォーカスレンズ群の移動量を設定し、また合焦に伴うコマ収差、色収差の変動を抑えることができる。
条件式（５）または（６）の上限を超えると、ピント感度が小さくなるため、合焦に伴うフォーカスレンズ群の移動量が増大し、オートフォーカス機構への負担が大きくなるので好ましくない。また、近距離合焦時の短焦点距離端と長焦点距離端とのフォーカスレンズ群の移動量の差が大きくなるため、近距離撮影での変倍に伴う焦点位置変動が大きくなってしまい実用上好ましくない。
条件式（５）または（６）の下限を超えると、フォーカスレンズ群の移動によるコマ収差、軸上色収差、倍率色収差の変動が大きくなり、高い光学性能を得ることが難しくなる。
【００３９】
条件式（５）および（６）を同時に満足することで、より一層、適切なフォーカスレンズ群の移動量を設定し、また合焦に伴うコマ収差、色収差の変動を抑えることができる。但し、条件式（５）および（６）は必ずしも同時に満足する必要は無く（両条件式は一体不可分ではなく）、条件式（５）および（６）のいずれか一方を満足するズームレンズ系であっても、一定の作用効果を得ることができ、本発明に係るズームレンズ系の技術的範囲に含まれ得る。
【００４０】
上述したように、本実施形態のズームレンズ系は、第４レンズ群Ｇ４を、物体側から順に、正の屈折力の第４ａレンズ群Ｇ４ａと負の屈折力の第４ｂレンズ群Ｇ４ｂとから構成し、第４ａレンズ群Ｇ４ａを、物体側から順に位置する、物体側に凸面を向けた正レンズ４１、負レンズ４２および両凸正レンズ４３の３枚の接合レンズから構成している。
【００４１】
第４レンズ群Ｇ４によって、第１レンズ群Ｇ１、第２レンズ群Ｇ２および第３レンズ群Ｇ３で発生した軸上色収差、倍率色収差を良好に補正することで、高い光学性能が得られる。色収差補正のために低屈折率低分散材料を用いると、球面収差やコマ収差などの補正が難しくなるが、本実施形態のように第４ａレンズ群Ｇ４ａを３枚のレンズ４１、４２、４３の３枚の接合レンズとすることで、色収差補正とともに、接合面による高次の球面収差やコマ収差の補正の自由度を付加することができる。
【００４２】
条件式（７）は、第４ａレンズ群Ｇ４ａ中の正レンズ４１、４３のｄ線に対するアッベ数の平均値と、第４ａレンズ群Ｇ４ａ中の負レンズ４２のｄ線に対するアッベ数との差を規定している。条件式（７）を満足することで、軸上色収差、倍率色収差を良好に補正することができる。
条件式（７）の上限を超えても、下限を超えても、変倍に伴う色収差の変動を抑えることが難しくなる。
【００４３】
条件式（８）および（９）は、第２レンズ群Ｇ２と第４レンズ群Ｇ４の横倍率の比を規定している。条件式（８）または（９）を満足することで、変倍に伴う像面湾曲の変動を抑えて良好な光学性能を得ることができる。
条件式（８）または（９）の上限を超えると、変倍に伴う像面湾曲の変動を補正することが難しくなる。また光学系の全長が増大し、光量を確保するために、第１レンズ群Ｇ１の有効径と重量が増大し、コストアップにつながるため好ましくない。
条件式（８）または（９）の下限を超えると、光学系の全長の短縮には有利であるが、変倍に伴う像面湾曲の変動を補正することが難しくなる。
【００４４】
条件式（８）および（９）を同時に満足することで、より一層、変倍に伴う像面湾曲の変動を抑えて良好な光学性能を得ることができる。但し、条件式（８）および（９）は必ずしも同時に満足する必要は無く（両条件式は一体不可分ではなく）、条件式（８）および（９）のいずれか一方を満足するズームレンズ系であっても、一定の作用効果を得ることができ、本発明に係るズームレンズ系の技術的範囲に含まれ得る。
【００４５】
上述したように、本実施形態のズームレンズ系は、第１レンズ群Ｇ１を、物体側から順に、物体側に凸面を向けた負レンズ１１、物体側に凸面を向けた負レンズ１２、両凹負レンズ１３および物体側に凸面を向けた正レンズ１４から構成している。
【００４６】
本実施形態のズームレンズ系では、第１レンズ群Ｇ１で発生する歪曲収差と倍率色収差の補正を良好に行うことが、レンズ全系の歪曲収差と倍率色収差の補正を行う上で効果的である。負レンズ１１と負レンズ１２を物体側に凸とすることで歪曲収差の発生を抑えることができる。正レンズ１４により、第１レンズＧ１、第２レンズＧ２および第３レンズＧ３で発生する球面収差、軸上色収差、倍率色収差、像面湾曲を補正することができる。
【００４７】
条件式（１０）は、第１レンズ群Ｇ１中の最も像側に位置する正レンズ１４のｇ線、Ｆ線の部分分散比を規定している。条件式（１０）を満足することで、軸上色収差と倍率色収差色、特に２次スペクトルを良好に抑えることができる。
条件式（１０）の上限を超えると、倍率色収差が補正過剰となり、特に長焦点距離端の軸上色収差が補正不足となる。
条件式（１０）の下限を超えると、長焦点距離端の倍率色収差が補正過剰となる。
【実施例】
【００４８】
次に具体的な数値実施例１−９を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００４９】
［数値実施例１］
図１〜図７と表１〜表４は、本発明によるズームレンズ系の数値実施例１を示している。図１は短焦点距離端における無限遠合焦時のレンズ構成図である。図２、図３は短焦点距離端における無限遠合焦時の諸収差図と横収差図、図４、図５は中間焦点距離における無限遠合焦時の諸収差図と横収差図、図６、図７は長焦点距離端における無限遠合焦時の諸収差図と横収差図である。表１は面データ、表２は非球面データ、表３は各種データ、表４はズームレンズ群データである。
【００５０】
本数値実施例１のズームレンズ系は、物体側から順に、負の屈折力の第１レンズ群Ｇ１、正の屈折力の第２レンズ群Ｇ２、負の屈折力の第３レンズ群Ｇ３および正の屈折力の第４レンズ群Ｇ４からなる。第２レンズ群Ｇ２と第３レンズ群Ｇ３との間には絞りＳが位置しており、この絞りＳは、第２レンズ群Ｇ２と一体に移動する。
【００５１】
第１レンズ群Ｇ１は、物体側から順に、物体側に凸の負メニスカスレンズ（物体側に凸面を向けた負レンズ）１１、物体側に凸の負メニスカスレンズ（物体側に凸面を向けた負レンズ）１２、両凹負レンズ１３および両凸正レンズ（物体側に凸面を向けた正レンズ）１４からなる。負メニスカスレンズ１１は、ガラスレンズの像側の面に合成樹脂材料による非球面層が接着形成されたハイブリッドレンズからなる。
【００５２】
第２レンズ群Ｇ２は、物体側から順に、正の屈折力の第２ａレンズ群Ｇ２ａと正の屈折力の第２ｂレンズ群Ｇ２ｂとからなる。第２ａレンズ群Ｇ２ａは、フォーカシング時に光軸方向（像側）に移動するフォーカスレンズ群である。
第２ａレンズ群Ｇ２ａは、物体側から順に、物体側に凸の正メニスカスレンズ（物体側に凸面を向けた正レンズ）２１、および物体側から順に位置する物体側に凸の負メニスカスレンズ（物体側に凸面を向けた負レンズ）２２と両凸正レンズ２３の接合レンズからなる。
第２ｂレンズ群Ｇ２ｂは、両凸正レンズ２４からなる。
【００５３】
第３レンズ群Ｇ３は、物体側から順に、物体側から順に位置する両凹負レンズ３１と両凸正レンズ３２の接合レンズ、両凹負レンズ３３、および物体側に凸の正メニスカスレンズ３４からなる。
【００５４】
第４レンズ群Ｇ４は、物体側から順に、正の屈折力の第４ａレンズ群Ｇ４ａと負の屈折力の第４ｂレンズ群Ｇ４ｂとからなる。
第４ａレンズ群Ｇ４ａは、物体側から順に位置する両凸正レンズ（物体側に凸面を向けた正レンズ）４１と両凹負レンズ４２と両凸正レンズ４３の３枚の接合レンズからなる。
第４ｂレンズ群Ｇ４ｂは、物体側から順に位置する両凹負レンズ４４と両凸正レンズ４５の接合レンズからなる。両凹負レンズ４４は、ガラスレンズの物体側の面に合成樹脂材料による非球面層が接着形成されたハイブリッドレンズからなる。
【００５５】
（表１）
面データ
面番号          R          d          N(d)        ν(d)
1            67.727      2.450      1.77250        49.6
2            27.200      0.220      1.52972        42.7
3*           23.089      7.830
4            51.924      1.650      1.78800        47.4
5            29.458      9.410
6           -81.490      2.200      1.60300        65.5
7            48.108      5.890
8            53.263      8.830      1.56732        42.8
9          -124.700        d9
10           53.667      3.820      1.56732        42.8
11          233.446      2.180
12          136.379      1.500      1.80000        29.9
13           28.377      6.770      1.58144        40.7
14         -144.954      6.288
15           80.815      3.550      1.49700        81.6
16         -129.303      1.680
17絞          ∞          d17
18         -105.215      1.500      1.83481        42.7
19           29.032      4.520      1.72047        34.7
20         -104.092      1.270
21         -185.193      1.500      1.83400        37.2
22           79.688      0.830
23           65.796      2.170      1.80518        25.4
24          191.711       d24
25           35.493      5.480      1.83400        37.2
26        -5000.000      1.500      1.80440        39.6
27           21.950     11.710      1.49700        81.6
28          -55.545      0.860
29*       -3241.954      0.200      1.52972        42.7
30        -3241.954      1.500      1.83400        37.2
31           34.353      7.590      1.48749        70.2
32          -95.291        -
（表２）
非球面データ
面番号   K          A4           A6           A8          A10
3    -1.000    0.2782E-05  -0.1128E-09   0.2056E-12  -0.1990E-14
29    0.000   -0.3454E-05   0.9235E-09  -0.1297E-11   0.3435E-13
（表３）
各種データ
ズーム比（変倍比）    1.53
短焦点距離端          中間焦点距離          長焦点距離端
FNO.            4.6                   4.6                   4.6
f             28.70                 35.00                 43.87
W              45.2                  38.8                  32.2
Y             27.80                 27.80                 27.80
fB            65.91                 73.50                 82.88
L            222.37                218.13                217.99
d9           23.915                14.684                 7.308
d17           4.860                 9.856                17.084
d24          22.782                15.198                 5.820
（表４）
ズームレンズ群データ
群          始面          焦点距離
1              1            -30.12
2             10             53.78
3             18            -84.25
4             25             72.81
【００５６】
［数値実施例２］
図８〜図１４と表５〜表８は、本発明によるズームレンズ系の数値実施例２を示している。図８は短焦点距離端における無限遠合焦時のレンズ構成図である。図９、図１０は短焦点距離端における無限遠合焦時の諸収差図と横収差図、図１１、図１２は中間焦点距離における無限遠合焦時の諸収差図と横収差図、図１３、図１４は長焦点距離端における無限遠合焦時の諸収差図と横収差図である。表５は面データ、表６は非球面データ、表７は各種データ、表８はズームレンズ群データである。
【００５７】
この数値実施例２のレンズ構成は、数値実施例１のレンズ構成と同様である。
【００５８】
（表５）
面データ
面番号          R          d          N(d)        ν(d)
1            67.355      2.500      1.81600       46.6
2            27.200      0.280      1.52972       42.7
3*           23.051      8.470
4            62.399      1.650      1.67790       55.3
5            31.542      9.360
6           -84.472      2.000      1.61800       63.4
7            45.529      5.190
8            52.133      9.020      1.56732       42.8
9          -114.250        d9
10           60.175      3.410      1.72047       34.7
11          117.772      2.270
12           93.013      1.500      1.80000       29.9
13           29.802      6.540      1.54814       45.8
14         -171.675      6.333
15           70.653      3.890      1.48749       70.2
16         -113.044      1.550
17絞          ∞          d17
18         -135.180      1.500      1.83400       37.2
19           30.999      4.430      1.69895       30.1
20         -111.532      1.350
21         -161.160      1.500      1.83400       37.2
22          105.416      0.850
23           81.455      2.050      1.80518       25.4
24          225.817       d24
25           34.900      5.590      1.69680       55.5
26        -3000.000      1.500      1.75500       52.3
27           21.950     11.980      1.49700       81.6
28          -52.568      0.750
29*       -4804.554      0.200      1.52972       42.7
30        -4804.554      1.500      1.83400       37.2
31           36.559      7.270      1.48749       70.2
32         -105.169        -
（表６）
非球面データ
面番号   K          A4           A6           A8          A10
3    -1.000    0.2577E-05  -0.4243E-09   0.7278E-12  -0.2727E-14
29    0.000   -0.3493E-05   0.1287E-08  -0.4405E-11   0.4233E-13
（表７）
各種データ
ズーム比（変倍比）    1.53
短焦点距離端          中間焦点距離          長焦点距離端
FNO.            4.6                   4.6                   4.6
f             28.70                 35.00                 43.87
W              45.3                  38.9                  32.3
Y             27.80                 27.80                 27.80
fB            66.85                 74.86                 84.74
L            224.70                220.21                219.82
d9           24.943                15.416                 7.739
d17           4.760                 9.800                17.090
d24          23.709                15.706                 5.820
（表８）
ズームレンズ群データ
群          始面          焦点距離
1              1            -29.38
2             10             53.37
3             18            -90.51
4             25             77.86
【００５９】
［数値実施例３］
図１５〜図２１と表９〜表１２は、本発明によるズームレンズ系の数値実施例３を示している。図１５は短焦点距離端における無限遠合焦時のレンズ構成図である。図１６、図１７は短焦点距離端における無限遠合焦時の諸収差図と横収差図、図１８、図１９は中間焦点距離における無限遠合焦時の諸収差図と横収差図、図２０、図２１は長焦点距離端における無限遠合焦時の諸収差図と横収差図である。表９は面データ、表１０は非球面データ、表１１は各種データ、表１２はズームレンズ群データである。
【００６０】
この数値実施例３のレンズ構成は、以下の点を除いて、数値実施例１、２のレンズ構成と同様である。
（１）第４ａレンズ群Ｇ４ａにおいて、正レンズ４１が物体側に凸の平凸正レンズ（物体側に凸面を向けた正レンズ）からなり、負レンズ４２が像側に凹の平凹負レンズからなる。
【００６１】
（表９）
面データ
面番号          R          d          N(d)        ν(d)
1            69.638      2.410      1.77250       49.6
2            27.200      0.200      1.52972       42.7
3*           22.964      8.690
4            63.383      1.650      1.72916       54.7
5            31.189      9.410
6           -91.673      2.200      1.61800       63.4
7            45.953      5.160
8            52.898      8.330      1.61340       44.3
9          -134.937        d9
10           57.220      3.520      1.58144       40.7
11          185.088      2.300
12          136.444      1.500      1.80000       29.9
13           28.661      6.670      1.59551       39.2
14         -171.854      6.401
15           72.184      3.830      1.49700       81.6
16         -115.495      1.570
17絞           ∞         d17
18          -91.231      1.500      1.81600       46.6
19           35.110      4.540      1.65412       39.7
20          -71.436      1.040
21         -155.405      1.500      1.83400       37.2
22           71.692      0.940
23           66.334      2.680      1.80518       25.4
24          418.671       d24
25           34.105      5.650      1.80610       40.9
26             ∞        1.500      1.83481       42.7
27           21.976     11.610      1.49700       81.6
28          -55.278      0.960
29*       -3249.477      0.200      1.52972       42.7
30        -3249.477      1.760      1.83400       37.2
31           35.047      7.410      1.48749       70.2
32         -100.056        -
（表１０）
非球面データ
面番号   K          A4           A6           A8          A10
3    -1.000    0.2805E-05  -0.3972E-09   0.7407E-12  -0.2875E-14
29    0.000   -0.3223E-05   0.1193E-08  -0.2836E-11   0.3893E-13
（表１１）
各種データ
ズーム比（変倍比）    1.53
短焦点距離端          中間焦点距離          長焦点距離端
FNO.            4.6                   4.6                   4.6
f             28.70                 35.00                 43.87
W              45.3                  38.9                  32.3
Y             27.80                 27.80                 27.80
fB            66.45                 74.64                 84.68
L            225.61                220.71                219.94
d9           24.966                15.369                 7.671
d17           5.023                 9.721                16.645
d24          24.042                15.855                 5.816
（表１２）
ズームレンズ群データ
群          始面          焦点距離
1              1            -29.60
2             10             53.52
3             18            -91.20
4             25             78.43
【００６２】
［数値実施例４］
図２２〜図２８と表１３〜表１６は、本発明によるズームレンズ系の数値実施例４を示している。図２２は短焦点距離端における無限遠合焦時のレンズ構成図である。図２３、図２４は短焦点距離端における無限遠合焦時の諸収差図と横収差図、図２５、図２６は中間焦点距離における無限遠合焦時の諸収差図と横収差図、図２７、図２８は長焦点距離端における無限遠合焦時の諸収差図と横収差図である。表１３は面データ、表１４は非球面データ、表１５は各種データ、表１６はズームレンズ群データである。
【００６３】
この数値実施例４のレンズ構成は、数値実施例３のレンズ構成と同様である。
【００６４】
（表１３）
面データ
面番号          R          d          N(d)        ν(d)
1            65.358      2.530      1.81600       46.6
2            27.200      0.200      1.52972       42.7
3*           22.966      7.560
4            50.109      1.650      1.77250       49.6
5            28.613     10.500
6           -79.656      2.500      1.64000       60.1
7            49.679      5.570
8            55.019      8.850      1.59551       39.2
9          -121.594        d9
10           63.182      4.000      1.62588       35.7
11          157.222      2.670
12           97.531      1.730      1.80518       25.4
13           28.966      6.850      1.60342       38.0
14         -134.949      5.847
15           82.219      3.430      1.49700       81.6
16         -165.107      1.730
17絞           ∞        d17
18          -87.197      1.500      1.83481       42.7
19           38.016      4.540      1.63980       34.5
20          -65.237      0.800
21         -174.206      1.500      1.80100       35.0
22           74.279      0.890
23           65.982      2.190      1.80518       25.4
24          229.516       d24
25           33.851      5.650      1.80610       33.3
26             ∞        1.500      1.83400       37.2
27           22.014     11.520      1.49700       81.6
28          -58.817      0.750
29*       -4773.318      0.200      1.52972       42.7
30        -4773.318      1.500      1.83400       37.2
31           34.332      7.590      1.48749       70.2
32          -87.843        -
（表１４）
非球面データ
面番号   K          A4           A6           A8          A10
3    -1.000    0.2739E-05  -0.5024E-09   0.8817E-13  -0.2066E-14
29    0.000   -0.2973E-05   0.6725E-09  -0.1170E-11   0.3312E-13
（表１５）
各種データ
ズーム比（変倍比）    1.54
短焦点距離端          中間焦点距離          長焦点距離端
FNO.            4.6                   4.6                   4.6
f             28.70                 35.00                 44.06
W              45.3                  38.9                  32.3
Y             27.80                 27.80                 27.80
fB            66.07                 74.19                 85.94
L            225.28                219.75                219.27
d9           23.647                14.287                 6.365
d17           5.361                10.056                15.408
d24          24.461                15.465                 5.816
（表１６）
ズームレンズ群データ
群          始面          焦点距離
1              1            -29.12
2             10             52.61
3             18            -87.85
4             25             77.37
【００６５】
［数値実施例５］
図２９〜図３５と表１７〜表２０は、本発明によるズームレンズ系の数値実施例５を示している。図２９は短焦点距離端における無限遠合焦時のレンズ構成図である。図３０、図３１は短焦点距離端における無限遠合焦時の諸収差図と横収差図、図３２、図３３は中間焦点距離における無限遠合焦時の諸収差図と横収差図、図３４、図３５は長焦点距離端における無限遠合焦時の諸収差図と横収差図である。表１７は面データ、表１８は非球面データ、表１９は各種データ、表２０はズームレンズ群データである。
【００６６】
この数値実施例５のレンズ構成は、数値実施例１、２のレンズ構成と同様である。
【００６７】
（表１７）
面データ
面番号          R          d          N(d)        ν(d)
1            64.035      2.050      1.81600       46.6
2            27.200      0.200      1.52972       42.7
3*           22.725      7.810
4            50.349      1.690      1.69680       55.5
5            28.771     10.290
6           -75.682      2.000      1.61800       63.4
7            47.104      6.030
8            55.387      8.410      1.56732       42.8
9          -115.424        d9
10           64.953      3.020      1.72825       28.5
11          137.231      2.450
12          125.689      1.500      1.80518       25.4
13           29.943      6.550      1.59270       35.3
14         -157.141      6.380
15           63.925      3.940      1.49700       81.6
16         -126.239      1.630
17絞          ∞          d17
18          -81.989      1.500      1.83481       42.7
19           35.152      4.870      1.63980       34.5
20          -56.288      0.730
21         -173.240      1.500      1.80100       35.0
22           73.769      0.870
23           63.476      2.400      1.69895       30.1
24          317.385       d24
25           35.772      6.550      1.65160       58.5
26        -2500.000      1.530      1.72916       54.7
27           21.950     12.150      1.49700       81.6
28          -50.109      0.750
29*       -4801.325      0.300      1.52972       42.7
30        -4801.325      1.590      1.83400       37.2
31           40.334      6.600      1.48749       70.2
32         -143.721        -
（表１８）
非球面データ
面番号   K          A4           A6           A8          A10
3    -1.000    0.2545E-05  -0.3779E-09  -0.1557E-12  -0.2334E-14
29    0.000   -0.3479E-05   0.1487E-08  -0.6826E-11   0.4835E-13
（表１９）
各種データ
ズーム比（変倍比）    1.53
短焦点距離端          中間焦点距離          長焦点距離端
FNO.            4.6                   4.6                   4.6
f             28.70                 35.00                 43.87
W              45.3                  39.0                  32.4
Y             27.80                 27.80                 27.80
fB            67.50                 76.44                 87.16
L            226.00                220.46                219.14
d9           22.663                12.979                 5.314
d17           5.070                 9.214                15.555
d24          25.477                16.534                 5.820
（表２０）
ズームレンズ群データ
群          始面          焦点距離
1              1            -29.01
2             10             52.54
3             18            -93.22
4             25             80.73
【００６８】
［数値実施例６］
図３６〜図４２と表２１〜表２４は、本発明によるズームレンズ系の数値実施例６を示している。図３６は短焦点距離端における無限遠合焦時のレンズ構成図である。図３７、図３８は短焦点距離端における無限遠合焦時の諸収差図と横収差図、図３９、図４０は中間焦点距離における無限遠合焦時の諸収差図と横収差図、図４１、図４２は長焦点距離端における無限遠合焦時の諸収差図と横収差図である。表２１は面データ、表２２は非球面データ、表２３は各種データ、表２４はズームレンズ群データである。
【００６９】
この数値実施例６のレンズ構成は、以下の点を除いて、数値実施例１、２、５のレンズ構成と同様である。
（１）第４ａレンズ群Ｇ４ａにおいて、正レンズ４１が物体側に凸の平凸正レンズ（物体側に凸面を向けた正レンズ）からなり、負レンズ４２が像側に凹の平凹負レンズからなる。
（２）第４ｂレンズ群Ｇ４ｂにおいて、負レンズ４４が物体側に凸の負メニスカスレンズからなる。この負メニスカスレンズ４４は、ガラスレンズの物体側の面に合成樹脂材料による非球面層が接着形成されたハイブリッドレンズからなる。
【００７０】
（表２１）
面データ
面番号          R          d          N(d)        ν(d)
1            65.300      2.050      1.81600       46.6
2            27.500      0.200      1.52972       42.7
3*           23.026      7.580
4            50.032      1.650      1.72916       54.7
5            27.123      9.230
6          -119.300      2.000      1.72916       54.7
7            58.906      5.650
8            62.025      7.430      1.72047       34.7
9          -247.562        d9
10           74.635      3.800      1.61340       44.3
11          803.387      2.070
12          129.693      1.500      1.80000       29.9
13           28.740      6.080      1.60342       38.0
14         -678.444      6.519
15           59.735      3.830      1.48749       70.2
16          -95.576      1.580
17絞           ∞         d17
18          -79.495      1.500      1.83481       42.7
19           33.950      4.950      1.65412       39.7
20          -56.518      0.980
21         -254.800      1.500      1.83400       37.2
22           56.444      1.030
23           53.174      2.520      1.80518       25.4
24          209.861       d24
25           33.840      6.000      1.61800       63.4
26             ∞        1.500      1.72916       54.7
27           21.950     12.160      1.49700       81.6
28          -54.079      0.750
29*         198.653      0.270      1.52972       42.7
30          198.653      2.100      1.83400       37.2
31           34.541      6.330      1.48749       70.2
32        -1261.416        -
（表２２）
非球面データ
面番号   K          A4           A6           A8          A10
3    -1.000    0.2736E-05  -0.1235E-08   0.2360E-12  -0.2427E-14
29    0.000   -0.3584E-05   0.2059E-08  -0.1162E-10   0.4874E-13
（表２３）
各種データ
ズーム比（変倍比）    1.53
短焦点距離端          中間焦点距離          長焦点距離端
FNO.            4.6                   4.6                   4.6
f             28.70                 34.99                 43.87
W              45.3                  39.0                  32.5
Y             27.80                 27.80                 27.80
fB            66.01                 74.88                 85.57
L            226.55                220.92                219.35
d9           27.248                17.502                 9.675
d17           5.110                 9.233                15.476
d24          25.420                16.550                 5.870
（表２４）
ズームレンズ群データ
群          始面          焦点距離
1              1            -28.86
2             10             52.18
3             18            -94.52
4             25             83.11
【００７１】
［数値実施例７］
図４３〜図４９と表２５〜表２８は、本発明によるズームレンズ系の数値実施例７を示している。図４３は短焦点距離端における無限遠合焦時のレンズ構成図である。図４４、図４５は短焦点距離端における無限遠合焦時の諸収差図と横収差図、図４６、図４７は中間焦点距離における無限遠合焦時の諸収差図と横収差図、図４８、図４９は長焦点距離端における無限遠合焦時の諸収差図と横収差図である。表２５は面データ、表２６は非球面データ、表２７は各種データ、表２８はズームレンズ群データである。
【００７２】
この数値実施例７のレンズ構成は、数値実施例３、４のレンズ構成と同様である。
【００７３】
（表２５）
面データ
面番号          R          d          N(d)        ν(d)
1            61.215      2.050      1.80400       46.6
2            27.200      0.200      1.52972       42.7
3*           22.791      7.420
4            48.604      1.650      1.75500       52.3
5            26.347     10.510
6           -78.561      1.800      1.61800       63.4
7            49.100      6.050
8            55.131      8.670      1.60562       43.7
9          -129.547        d9
10           55.088      4.360      1.54072       47.2
11          234.815      2.150
12          135.804      1.500      1.80000       29.9
13           28.463      7.030      1.59551       39.2
14         -139.912      6.058
15           70.833      3.730      1.49700       81.6
16         -141.899      1.710
17絞           ∞         d17
18          -93.730      1.500      1.83481       42.7
19           37.144      4.690      1.58144       40.7
20          -59.430      0.800
21         -168.561      1.500      1.83481       42.7
22           62.147      0.940
23           59.027      2.500      1.80518       25.4
24          405.068       d24
25           34.602      6.820      1.80518       25.4
26             ∞        1.500      1.80000       29.9
27           21.950     11.440      1.49700       81.6
28          -61.136      0.800
29*       -3333.333      0.200      1.52972       42.7
30        -3333.333      1.500      1.80100       35.0
31           32.929      7.590      1.48749       70.2
32          -98.355        -
（表２６）
非球面データ
面番号   K          A4           A6           A8          A10
3    -1.000    0.2883E-05  -0.8451E-09  -0.3721E-12  -0.2515E-14
29    0.000   -0.3131E-05  -0.4836E-09   0.2992E-11   0.1824E-13
（表２７）
各種データ
ズーム比（変倍比）    1.53
短焦点距離端          中間焦点距離          長焦点距離端
FNO.            4.6                   4.6                   4.6
f             28.70                 35.00                 43.87
W              45.3                  39.0                  32.5
Y             27.80                 27.80                 27.80
fB            67.22                 76.18                 86.57
L            225.43                219.73                218.29
d9           21.417                12.373                 5.438
d17           4.960                 8.299                13.793
d24          25.165                16.210                 5.816
（表２８）
ズームレンズ群データ
群          始面          焦点距離
1              1            -29.21
2             10             52.18
3             18            -80.91
4             25             73.91
【００７４】
［数値実施例８］
図５０〜図５６と表２９〜表３２は、本発明によるズームレンズ系の数値実施例８を示している。図５０は短焦点距離端における無限遠合焦時のレンズ構成図である。図５１、図５２は短焦点距離端における無限遠合焦時の諸収差図と横収差図、図５３、図５４は中間焦点距離における無限遠合焦時の諸収差図と横収差図、図５５、図５６は長焦点距離端における無限遠合焦時の諸収差図と横収差図である。表２９は面データ、表３０は非球面データ、表３１は各種データ、表３２はズームレンズ群データである。
【００７５】
この数値実施例８のレンズ構成は、数値実施例３、４、７のレンズ構成と同様である。
【００７６】
（表２９）
面データ
面番号          R          d          N(d)        ν(d)
1            62.732      2.060      1.79952       42.2
2            27.200      0.200      1.52972       42.7
3*           22.431      7.590
4            44.393      1.650      1.81600       46.6
5            25.367     13.400
6           -86.316      2.000      1.67790       55.3
7            53.947      4.950
8            55.435      7.130      1.63980       34.5
9          -149.495        d9
10           83.857      3.200      1.67270       32.1
11          327.659      1.100
12           69.229      2.290      1.80518       25.4
13           28.168      7.590      1.58144       40.7
14         -184.840      5.270
15           84.318      3.780      1.49700       81.6
16         -141.779      1.710
17絞           ∞         d17
18         -187.069      1.500      1.83481       42.7
19           34.987      4.610      1.53172       48.9
20          -76.198      0.800
21         -168.600      1.500      1.83481       42.7
22           54.034      0.970
23           53.321      2.430      1.80518       25.4
24          545.285       d24
25           34.169      5.590      1.80000       29.9
26             ∞        1.500      1.80100       35.0
27           22.167     11.180      1.49700       81.6
28          -70.031      0.750
29*       -3178.150      0.300      1.52972       42.7
30        -3178.150      2.610      1.83400       37.2
31           31.757      8.180      1.49700       81.6
32          -76.901        -
（表３０）
非球面データ
面番号   K          A4           A6           A8          A10
3    -1.000    0.2715E-05  -0.1463E-08  -0.5046E-12  -0.3263E-14
29    0.000   -0.2635E-05   0.3314E-09  -0.1586E-12   0.2446E-13
（表３１）
各種データ
ズーム比（変倍比）    1.53
短焦点距離端          中間焦点距離          長焦点距離端
FNO.            4.6                   4.6                   4.6
f             28.70                 35.00                 43.87
W              44.8                  38.8                  32.4
Y             27.80                 27.80                 27.80
fB            65.85                 74.57                 87.31
L            225.83                219.02                218.63
d9           22.758                14.335                 7.301
d17           4.900                 8.723                12.368
d24          26.474                15.558                 5.816
（表３２）
ズームレンズ群データ
群          始面          焦点距離
1              1            -27.09
2             10             49.01
3             18            -79.02
4             25             76.59
【００７７】
［数値実施例９］
図５７〜図６３と表３３〜表３６は、本発明によるズームレンズ系の数値実施例９を示している。図５７は短焦点距離端における無限遠合焦時のレンズ構成図である。図５８、図５９は短焦点距離端における無限遠合焦時の諸収差図と横収差図、図６０、図６１は中間焦点距離における無限遠合焦時の諸収差図と横収差図、図６２、図６３は長焦点距離端における無限遠合焦時の諸収差図と横収差図である。表３３は面データ、表３４は非球面データ、表３５は各種データ、表３６はズームレンズ群データである。
【００７８】
この数値実施例９のレンズ構成は、数値実施例３、４、７、８のレンズ構成と同様である。
【００７９】
（表３３）
面データ
面番号          R          d          N(d)        ν(d)
1            61.615      2.050      1.79952       42.2
2            27.200      0.200      1.52972       42.7
3*           22.385      7.820
4            43.680      1.650      1.80440       39.6
5            24.960     13.450
6           -86.610      2.200      1.67790       55.3
7            51.905      4.790
8            54.398      7.390      1.66680       33.0
9          -177.664        d9
10           84.841      3.200      1.72151       29.2
11          314.128      1.550
12           65.840      1.500      1.80518       25.4
13           27.531      7.410      1.58144       40.7
14         -201.077      5.166
15           83.879      3.580      1.49700       81.6
16         -148.056      1.720
17絞           ∞         d17
18         -523.319      1.500      1.83481       42.7
19           32.613      4.600      1.51742       52.4
20          -90.712      0.700
21         -151.265      1.500      1.83481       42.7
22           51.464      0.960
23           50.433      2.530      1.78472       25.7
24          607.345       d24
25           33.569      5.650      1.80000       29.9
26             ∞        1.500      1.80100       35.0
27           21.950     11.320      1.49700       81.6
28          -78.126      0.810
29*       -2089.969      0.200      1.52972       42.7
30        -2089.969      2.230      1.83400       37.2
31           31.062      8.500      1.49700       81.6
32          -67.070        -
（表３４）
非球面データ
面番号   K          A4           A6           A8          A10
3    -1.000    0.2709E-05  -0.1514E-08  -0.6028E-12  -0.3340E-14
29    0.000   -0.2632E-05   0.4566E-09   0.3709E-12   0.2249E-13
（表３５）
各種データ
ズーム比（変倍比）    1.53
短焦点距離端          中間焦点距離          長焦点距離端
FNO.            4.6                   4.6                   4.6
f             28.70                 35.00                 43.87
W              44.6                  38.7                  32.4
Y             27.80                 27.80                 27.80
fB            65.85                 74.81                 87.85
L            224.85                217.85                217.68
d9           22.070                13.879                 7.038
d17           4.470                 8.004                11.297
d24          26.778                15.481                 5.820
（表３６）
ズームレンズ群データ
群          始面          焦点距離
1              1            -26.74
2             10             48.34
3             18            -77.81
4             25             75.96
【００８０】
各数値実施例の各条件式に対する値を表３７に示す。
（表３７）
実施例１      実施例２      実施例３
条件式（１）     1.388         1.451         1.568
条件式（２）     -1.79         -1.82         -1.81
条件式（３）      2.80          3.08          3.08
条件式（４）     -2.42         -2.65         -2.65
条件式（５）     -0.90         -0.92         -0.91
条件式（６）     -1.99         -1.97         -1.93
条件式（７）      19.8          16.2          18.5
条件式（８）       7.5          13.4          12.4
条件式（９）      4.91          6.11          5.92
条件式（１０）   0.573         0.573         0.563
実施例４      実施例５      実施例６
条件式（１）     1.763         1.875         1.886
条件式（２）     -1.81         -1.81         -1.81
条件式（３）      3.02          3.21          3.28
条件式（４）     -2.66         -2.78         -2.88
条件式（５）     -0.98         -0.94         -0.89
条件式（６）     -2.22         -1.97         -1.79
条件式（７）      20.3          15.4          17.8
条件式（８）      12.1          17.5          32.0
条件式（９）      5.47          6.31          6.96
条件式（１０）   0.580         0.573         0.583
実施例７      実施例８      実施例９
条件式（１）     2.191         2.596         2.797
条件式（２）     -1.79         -1.81         -1.81
条件式（３）      2.77          2.92          2.91
条件式（４）     -2.53         -2.83         -2.84
条件式（５）     -0.95         -1.12         -1.16
条件式（６）     -2.10         -2.58         -2.66
条件式（７）      23.7          20.7          20.7
条件式（８）       6.6           9.7           9.3
条件式（９）      4.24          4.58          4.44
条件式（１０）   0.572         0.592         0.596
【００８１】
表３７から明らかなように、数値実施例１〜９は、条件式（１）〜（１０）を満足しており、諸収差図及び横収差図から明らかなように諸収差及び横収差は比較的よく補正されている。
【００８２】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００８３】
Ｇ１  負の屈折力の第１レンズ群
１１  負レンズ
１２  負レンズ
１３  負レンズ
１４  正レンズ
Ｇ２  正の屈折力の第２レンズ群
Ｇ２ａ  正の屈折力の第２ａレンズ群
２１  正レンズ
２２  負レンズ
２３  正レンズ
Ｇ２ｂ  正の屈折力の第２ｂレンズ群
２４  正レンズ
Ｇ３  負の屈折力の第３レンズ群
３１  負レンズ
３２  正レンズ
３３  負レンズ
３４  正レンズ
Ｇ４  正の屈折力の第４レンズ群
Ｇ４ａ  正の屈折力の第４ａレンズ群
４１  正レンズ
４２  負レンズ
４３  正レンズ
Ｇ４ｂ  負の屈折力の第４ｂレンズ群
４４  負レンズ
４５  正レンズ
Ｓ  絞り
Ｉ  像面
【図１】
2015087681.tif 000003
【図２】
2015087681.tif 000004
【図３】
2015087681.tif 000005
【図４】
2015087681.tif 000006
【図５】
2015087681.tif 000007
【図６】
2015087681.tif 000008
【図７】
2015087681.tif 000009
【図８】
2015087681.tif 000010
【図９】
2015087681.tif 000011
【図１０】
2015087681.tif 000012
【図１１】
2015087681.tif 000013
【図１２】
2015087681.tif 000014
【図１３】
2015087681.tif 000015
【図１４】
2015087681.tif 000016
【図１５】
2015087681.tif 000017
【図１６】
2015087681.tif 000018
【図１７】
2015087681.tif 000019
【図１８】
2015087681.tif 000020
【図１９】
2015087681.tif 000021
【図２０】
2015087681.tif 000022
【図２１】
2015087681.tif 000023
【図２２】
2015087681.tif 000024
【図２３】
2015087681.tif 000025
【図２４】
2015087681.tif 000026
【図２５】
2015087681.tif 000027
【図２６】
2015087681.tif 000028
【図２７】
2015087681.tif 000029
【図２８】
2015087681.tif 000030
【図２９】
2015087681.tif 000031
【図３０】
2015087681.tif 000032
【図３１】
2015087681.tif 000033
【図３２】
2015087681.tif 000034
【図３３】
2015087681.tif 000035
【図３４】
2015087681.tif 000036
【図３５】
2015087681.tif 000037
【図３６】
2015087681.tif 000038
【図３７】
2015087681.tif 000039
【図３８】
2015087681.tif 000040
【図３９】
2015087681.tif 000041
【図４０】
2015087681.tif 000042
【図４１】
2015087681.tif 000043
【図４２】
2015087681.tif 000044
【図４３】
2015087681.tif 000045
【図４４】
2015087681.tif 000046
【図４５】
2015087681.tif 000047
【図４６】
2015087681.tif 000048
【図４７】
2015087681.tif 000049
【図４８】
2015087681.tif 000050
【図４９】
2015087681.tif 000051
【図５０】
2015087681.tif 000052
【図５１】
2015087681.tif 000053
【図５２】
2015087681.tif 000054
【図５３】
2015087681.tif 000055
【図５４】
2015087681.tif 000056
【図５５】
2015087681.tif 000057
【図５６】
2015087681.tif 000058
【図５７】
2015087681.tif 000059
【図５８】
2015087681.tif 000060
【図５９】
2015087681.tif 000061
【図６０】
2015087681.tif 000062
【図６１】
2015087681.tif 000063
【図６２】
2015087681.tif 000064
【図６３】
2015087681.tif 000065
【図６４】
2015087681.tif 000066